(57)【要約】【課題】  電話の発信側と着信側とが安心して通話を開始することができ、電話通信を円滑化し、電話番号の管理の手間を軽減する携帯電話を提供する。【解決手段】  携帯電話４０は、電話発信の発信先である携帯電話４４の電話番号を示す情報を保持する携帯電話４２に対して、電話番号を示す情報の送信を要求する要求信号５０を送信し、携帯電話４２が要求信号５０に応じて送信する閲覧用電話帳５２を受信する。携帯電話４０は、閲覧用電話帳５２により示される携帯電話４４の電話番号への発信５４を行なう。この際、携帯電話４２を示す情報を添付する。携帯電話４２は、携帯電話４４の電話番号を電話帳として保持しており、携帯電話４０より要求信号５０を受信し、要求信号５０に基づき、電話帳に保持された携帯電話４４の電話番号を閲覧用電話帳５２として携帯電話４０に送信する。【選択図】        図１
2005229526.tif 000002
【特許請求の範囲】
【請求項１】
電話発信の発信先の電話番号を示す情報を保持する他の電話装置に対して、電話番号を示す情報の送信を要求するための要求手段と、
前記他の電話装置により前記要求に応じて送信される前記電話番号を示す情報を受信するための受信手段と、
前記受信手段が受信した前記電話番号を示す情報により示される電話番号への発信を行なうための発信手段とを含む、電話装置。
【請求項２】
前記発信手段は、前記受信手段が受信した前記電話番号を示す情報により示される電話番号に、前記電話番号を示す情報を提供した者を示す情報を添付して発信するための手段を含む、請求項１に記載の電話装置。
【請求項３】
前記発信手段はさらに、前記受信手段が受信した前記電話番号を示す情報により示される電話番号に、当該電話装置のユーザに関するプロフィール情報を添付するための手段を含む、請求項２に記載の電話装置。
【請求項４】
前記電話番号を示す情報は、複数の電話番号と各電話番号に対応する発信先を示す情報とを含み、
前記発信手段は、
前記発信先を示す情報を表示するための表示手段と、
ユーザによる入力に従い、前記表示手段が行なう表示により示される発信先を選択するための選択手段と、
前記選択手段により選択された発信先と対応関係にある電話番号への発信を行なうための手段とを含む、請求項１に記載の電話装置。
【請求項５】
前記発信先を示す情報は、前記電話番号に対応するユーザに関するプロフィール情報を含み、
前記表示手段は、前記電話番号に対応するユーザ毎に、前記プロフィール情報を表示するための手段を含む、請求項４に記載の電話装置。
【請求項６】
プログラム可能な電話装置を制御して、請求項１から請求項５のいずれかに記載の電話装置として動作させる、電話装置の制御プログラム。
【請求項７】
所定の電話番号を示す情報を保持するための保持手段と、
他の電話装置より、前記電話番号を示す情報の送信要求を受信するための要求受信手段と、
前記送信要求に基づき、前記保持手段に保持された前記電話番号を示す情報を前記他の電話装置に送信するための送信手段とを含む、電話番号提供装置。
【請求項８】
前記保持手段は、複数の電話番号と各電話番号に対応する発信先を示す情報とを保持するための手段を含み、
前記送信手段は、前記送信要求に基づき、前記保持するための手段に保持されている情報の中から、送信するべき電話番号及び当該電話番号に対応する発信先を示す情報とを選択するための選択手段と、
前記選択手段により選択された情報を、前記他の電話装置に送信するための手段とを含む、請求項７に記載の電話番号提供装置。
【請求項９】
コンピュータにより実行されると、当該コンピュータを制御して、請求項７又は請求項８に記載の電話番号提供装置として動作させる、コンピュータで実行可能なプログラム。
【請求項１０】
第１の電話装置と、
第２の電話装置とを含む電話装置システムであって、
前記第２の電話装置は、所定の電話番号を示す情報を保持するための保持手段を含み、
前記第１の電話装置は、前記第２の電話装置に対して、前記保持手段に保持された情報の送信の要求を行なうための要求手段を含み、
前記第２の電話装置は、
前記要求を、前記第１の電話装置より受信するための要求受信手段と、
受信した前記要求に基づき、前記保持手段が保持する情報を前記第１の電話装置に送信するための送信手段とをさらに含み、
前記第１の電話装置はさらに、
前記第２の電話装置により送信された前記情報を受信するための情報受信手段と、
前記情報受信手段が受信した前記情報により示される電話番号への発信を行なうための発信手段を含む、電話装置システム。
【発明の詳細な説明】
【技術分野】
【０００１】
この発明は、いわゆる電話帳機能を用いて電話発信を行なう電話装置及び電話装置を制御するプログラム、電話番号を示す情報を提供する電話番号提供装置及びプログラム、並びに電話帳機能を用いて電話発信をする電話装置を含む電話装置システムに関する。特に、電話通信を円滑化する電話装置及び電話装置システムに関する。
【背景技術】
【０００２】
携帯電話及びＰＨＳ（Ｐｅｒｓｏｎａｌ  Ｈａｎｄｙｐｈｏｎｅ  Ｓｙｓｔｅｍ）の普及に伴って電話を個人が所有し使用することが一般的となり、電話による通信は、より個人的及び直接的なものとなった。すなわち、相手の携帯電話の電話番号に発信を行なうと、所望の相手が直接電話を取り、通話を開始する可能性が高くなった。また、現在では、発信者番号通知サービスが広く普及したため、電話を取る側、すなわち着信側は発信者の電話番号を実際に電話を取る前に確認することができるようになった。
【０００３】
ただし、所望の相手が使用している電話に発信するには、その電話番号をユーザが事前に知っていなければならない。電話番号を知らない場合、所望の相手本人若しくは共通の知人等から、又は電話番号の案内サービスを利用して、電話番号を知得し、メモを取るなど何らかの方法で記憶又は記録しておく必要がある。
【０００４】
また、電話がより個人的なものとなったため、その分電話番号の数も増加した。その結果、記憶したり記録したりすることが必要な電話番号の数も膨大となった。このように膨大な数の電話番号の情報を管理するために、電話番号を記憶し管理する電話帳機能を備えた携帯電話が一般的となっている。電話帳の１件分の情報には、電話番号、メールアドレス、名前、及びその他の情報が含まれる。電話帳によって管理できる電話番号の数が、数百から数千件にも及ぶ携帯電話もある。電話帳の情報を閲覧し、所望の発信先を選択すると、選択された項目の電話番号への発信が自動的に行なわれる。電話帳機能を用いて多くの電話番号への発信が可能となり、様々な相手との通話が可能となるため、日常の多くの問題を解決する助けとなる。
【０００５】
しかし、携帯電話のユーザが電話帳への登録を行なうには、携帯電話のキーを用いて何らかの操作を行なう必要がある。場合によっては、全ての情報を手入力で行なう必要があり、煩わしい。
【０００６】
電話番号の問合せに関する問題を解決するための技術として、電話番号の案内サービスにおいて、問合せに対する応答を受信し、受信したデータを元に自動発信を行なう自動発信方法が後掲の特許文献１に開示されている。
【０００７】
特許文献１によると、ユーザが電話機により網側の電話番号案内に電話番号を問合せると、電話機は、網側から電話番号の問合せ結果をデータで受信し、受信したデータをメモリに記憶させる。さらに電話機は、網側との通信を終了するために呼の開放を行ない、自動発呼の開始通知を表示し、メモリに記憶させた電話番号への発呼動作を実施する。この自動発信方法を用いると、ユーザは、案内された電話番号をメモできない場合にも、容易に電話番号を記憶し、自動的に発信することが可能となる。
【０００８】
また、他人の電話番号等を電話帳登録するための技術として、携帯電話を制御して電話帳に所望の電話番号等の情報を登録するよう携帯電話を動作させる通信補助装置が、後掲の特許文献２に開示されている。特許文献２によると、通信補助装置は、携帯電話及びコンピュータの通信インタフェースに着脱可能に装着されるコネクタを有するインタフェース部を備える。携帯電話のユーザがこの通信補助装置をコンピュータに装着し、ユーザの名前データ、電話番号データ、及び電子メールアドレスデータを入力すると、通信補助装置は、これらのデータを記憶する。ユーザはさらに、この通信補助装置を別の携帯電話のユーザに手渡す。通信補助装置を手渡されたユーザが、当該別の携帯電話に通信補助装置を装着すると、通信補助装置は、記憶している名前データ、電話番号データ、及び電子メールアドレスデータを、装着された携帯電話の電話帳に書込む。通信補助装置を用いることにより、電話帳の登録を行なうためにキー入力を行なう必要がなくなり、通信補助装置を手渡されたユーザの手間が軽減される。
【０００９】
【特許文献１】特開２００３−３１９０５９号公報
【特許文献２】特開２００２−３７４３３２号公報
【発明の開示】
【発明が解決しようとする課題】
【００１０】
特許文献１に記載の技術を用いると、電話番号の案内サービスのユーザは、電話番号のメモを取って電話帳に登録する必要がない。しかし、この方法を用いて案内できる電話番号は、一部の電話番号に限られる。現在、電話による通信がより個人的なものになるに従い、電話番号自体の個人情報としての重要性は高くなっている。そのため、電話のユーザの中には、電話番号を一般に公開することを望まないものも多く、このようなユーザの電話番号について、電話番号の案内サービスによって案内を受けることはできない。さらに携帯電話の電話番号については、電話番号案内サービスを用いて電話番号の問合せを行なうことができない。
【００１１】
特許文献２に記載の通信補助装置では、電話番号を教える側と教えられる側との両者が通信補助装置の授受を行なうため、電話番号についての情報のやりとりを安全に行なうことができる。しかし、この装置を用いる方法で電話番号を知らせるには、通信補助装置を物理的にやり取りする必要があり不便である。さらに、通信補助装置には、名前データ、電話番号データなどを予め記憶させておく必要があり、電話での連絡が急を要する場合などに、この装置を用いて電話番号を他人に教えることは極めて困難である。
【００１２】
また、発信者番号通知サービスにより通知された電話番号をもとに、着信側のユーザが発信者を知るためには、通知された電話番号と発信者との対応関係を把握していなければならない。知らない電話番号からの発信を受けたときには、その発信者が分からないので、電話を取らないユーザは多い。その発信が知人からのもの又は共通の知人により電話番号を紹介された者からのものであっても、ユーザにはその発信者が分からないので、着信を拒否されるおそれがある。結果として発信者は、知得した電話番号への発信により達成するべき所望の目的を果たすことができない。
【００１３】
それゆえに、本発明の目的は、電話の発信側と着信側とが、安心して通話を開始することができ、電話通信の円滑化を図ることができる携帯電話を提供することである。
【００１４】
本発明の別の目的は、個人情報である電話番号を記録及び管理する手間を軽減することができる携帯電話を提供することである。
【００１５】
本発明のさらに別の目的は、携帯電話等の電話番号についての情報を、その情報が個人情報であることに配慮して、安全にかつ簡単に他者に提供することができる携帯電話を提供することである。
【００１６】
本発明の追加の目的は、電話帳機能を有し、電話帳に登録されている情報を有効利用することができる携帯電話を提供することである。
【課題を解決するための手段】
【００１７】
本発明の第１の局面に係る電話装置は、電話発信の発信先の電話番号を示す情報を保持する他の電話装置に対して、電話番号を示す情報の送信を要求するための要求手段と、他の電話装置により要求に応じて送信される電話番号を示す情報を受信するための受信手段と、受信手段が受信した電話番号を示す情報により示される電話番号への発信を行なうための発信手段とを含む。
【００１８】
好ましくは、発信手段は、受信手段が受信した電話番号を示す情報により示される電話番号に、電話番号を示す情報を提供した者を示す情報を添付して発信するための手段を含む。
【００１９】
より好ましくは、発信手段はさらに、受信手段が受信した電話番号を示す情報により示される電話番号に、この電話装置のユーザに関するプロフィール情報を添付するための手段を含む。
【００２０】
好ましくは、電話番号を示す情報は、複数の電話番号と各電話番号に対応する発信先を示す情報とを含む。発信手段は、発信先を示す情報を表示するための表示手段と、ユーザによる入力に従い、表示手段が行なう表示により示される発信先を選択するための選択手段と、選択手段により選択された発信先と対応関係にある電話番号への発信を行なうための手段とを含む。
【００２１】
より好ましくは、発信先を示す情報は、電話番号に対応するユーザに関するプロフィール情報を含む。表示手段は、電話番号に対応するユーザ毎に、プロフィール情報を表示するための手段を含む。
【００２２】
本発明の第２の局面に係る電話装置の制御プログラムは、プログラム可能な電話装置を制御して、本発明の第１の局面に係る電話装置として動作させる。
【００２３】
本発明の第３の局面に係る電話番号提供装置は、所定の電話番号を示す情報を保持するための保持手段と、他の電話装置より、電話番号を示す情報の送信要求を受信するための要求受信手段と、送信要求に基づき、保持手段に保持された電話番号を示す情報を他の電話装置に送信するための送信手段とを含む。
【００２４】
好ましくは、保持手段は、複数の電話番号と各電話番号に対応する発信先を示す情報とを保持するための手段を含む。送信手段は、送信要求に基づき、保持するための手段に保持されている情報の中から、送信するべき電話番号及びこの電話番号に対応する発信先を示す情報とを選択するための選択手段と、選択手段により選択された情報を、他の電話装置に送信するための手段とを含む。
【００２５】
本発明の第４の局面に係るプログラムは、コンピュータにより実行されると、そのコンピュータを制御して、本発明の第３の局面に係る電話番号提供装置として動作させる、コンピュータで実行可能なプログラムである。
【００２６】
本発明の第５の局面に係る電話装置システムは、第１の電話装置と、第２の電話装置とを含む電話装置システムである。第２の電話装置は、所定の電話番号を示す情報を保持するための保持手段を含む。第１の電話装置は、第２の電話装置に対して、保持手段に保持された情報の送信の要求を行なうための要求手段を含む。第２の電話装置はさらに、その要求を、第１の電話装置より受信するための要求受信手段と、受信した要求に基づき、保持手段が保持する情報を第１の電話装置に送信するための送信手段とを含む。第１の電話装置はさらに、第２の電話装置により送信された情報を受信するための情報受信手段と、情報受信手段が受信した情報により示される電話番号への発信を行なうための発信手段を含む。
【発明を実施するための最良の形態】
【００２７】
以下、図面を参照しつつ、本発明の実施の形態に係る携帯電話及びプログラム可能な携帯電話を制御して、本実施の形態に係る携帯電話として動作させる制御プログラムを説明する。なお、以下の説明に用いる図面では、同一の部品には同一の符号を付してある。それらの名称及び機能も同一である。したがって、それらについての詳細な説明は繰返さない。
【００２８】
［第１の実施の形態］
図１に、本発明の一実施の形態に係る携帯電話装置を含むシステム３０の概要を示す。図１を参照して、本実施の形態に係るシステム３０は、他の携帯電話から、当該他の携帯電話が電話帳として保持している電話番号等の情報（以下、この情報を「電話帳情報」という。）の提供を受け、これを表示し、提供された電話帳情報に含まれる電話番号への発呼を行なうと共に、取得した電話帳情報を用いて発呼していることを発呼先に対して通知し、発呼先の電話との間で通話を行なう第１の携帯電話４０と、電話帳情報を保持し、第１の携帯電話４０のユーザの認証を行ない、認証された閲覧権限に応じて保持している電話帳情報を加工して第１の携帯電話４０に提供する第２の携帯電話４２とを含む。システム３０はさらに、第１の携帯電話４０による発呼先であり、第１の携帯電話４０が発呼と共に行なう通知を受信し表示する第３の携帯電話４４を含む。
【００２９】
第１の携帯電話４０、第２の携帯電話４２、及び第３の携帯電話４４はそれぞれ、一般的な携帯電話と同様に、図示しない基地局及び電話交換機システムを介して無線によりそれぞれ通信を行なう。第１の携帯電話４０、第２の携帯電話４２、及び第３の携帯電話４４の間で送受信される情報は、次の３種の情報である。すなわち、第１の情報は、第１の携帯電話４０が第２の携帯電話４２に対して電話帳情報の閲覧を要求する信号（以下、この信号を「要求信号」という。）５０である。第２の情報は、第２の携帯電話４２から第１の携帯電話４０に送信される電話帳情報（以下、この電話帳情報を「閲覧用電話帳」と呼ぶ。）５２である。第３の情報は、第１の携帯電話４０が第３の携帯電話４４に発呼する際に呼出信号と共に送信される情報であり、閲覧用電話帳５２を用いて発呼していることを通知する経由通知５４である。
【００３０】
要求信号５０は、第１の携帯電話４０の電話番号、第１の携帯電話に対して一意に割当られたデータ通信用のアドレス若しくは電子メールアドレス等の通信アドレス、又は第１の携帯電話の製造番号の情報等からなる第１の携帯電話４０を一意に識別する情報を含む。
【００３１】
また、閲覧用電話帳５２は、少なくとも他の電話の電話番号と、その電話のユーザの名前等とを含む。閲覧用電話帳５２に含まれる電話番号は、第２の携帯電話４２により、必要に応じて暗号化される。この処理は、個人情報である電話番号自体を、閲覧用電話帳５２の送信先である第１の携帯電話４０のユーザが閲覧し、電話発信する以外の目的で使用することを防ぐ必要がある場合に行われる。認証により閲覧用電話帳５２を提供できないと判定した場合には、第２の携帯電話４２はその旨を通知するためのエラー信号を閲覧用電話帳５２に替えて送信する。
【００３２】
また、経由通知５４は、電話発信の発信元である第１の携帯電話４０を識別する情報と、第１の携帯電話４０に対して閲覧用電話帳５２を提供した第２の携帯電話４２を識別する情報とを含む。この経由通知５４を第３の携帯電話４４が表示することにより、第３の携帯電話４４のユーザは、発信元である第１の携帯電話４０と、第３の携帯電話４４についての閲覧用電話帳５２を第２の携帯電話４２が第１の携帯電話４０に提供したこととを知ることができる。
【００３３】
図２に、図１に示す第１の携帯電話４０、第２の携帯電話４２、及び第３の携帯電話４４として動作する携帯電話装置６０の構成をブロック図形式で示す。図２を参照して、携帯電話装置６０は、受話音声信号を受けて音に変換して出力する受話器７２と、ユーザの発話音声を受けて送話音声信号に変換する送話器７４と、ユーザが携帯電話装置６０を操作する際に用いる表示装置７６及び入力装置７８とを含む。
【００３４】
携帯電話装置６０はさらに、無線信号の送受信を行なうためのアンテナ７０と、アンテナ７０を介して通話信号、発呼信号、及びデータ通信の信号等の送受信を行なう通信部８０と、通信部８０に接続され、通信部８０が送受信する信号の変調及び復調、並びにそれらの信号を解析する処理等を行なう信号処理部８２と、受話器７２、送話器７４、及び信号処理部８２に接続され、通話音声の信号を処理する音声処理部８４と、表示装置７６及び入力装置７８に接続され、ユーザが携帯電話装置６０を操作する際に表示装置７６及び入力装置７８を介して情報の入出力を行なう際のインタフェース機能を実現するユーザ・インタフェース部８６とを含む。
【００３５】
さらに携帯電話装置６０は、電話帳９２及び後述する制御プログラムを記憶する記憶部８８と、信号処理部８２、ユーザ・インタフェース部８６、及び記憶部８８に接続され、記憶部８８に記憶されている制御プログラムに従い動作し、信号処理部８２が処理した受信信号を受けて、受信信号に含まれる情報を処理し、ユーザ・インタフェース部８６を介してユーザに出力し、ユーザ・インタフェース部８６を介して受けたユーザの入力に従い情報を処理し、処理した情報を信号処理部８２に与えて信号処理部８２を制御する制御部９０とを含む。
【００３６】
なお、携帯電話装置６０を図１に示す第１の携帯電話４０又は第３の携帯電話４４として動作させる場合、記憶部８８は、電話帳９２を記憶している必要はない。
【００３７】
図３に本実施の形態に係る第２の携帯電話４２の記憶部８８に記憶される電話帳９２のデータ構成の一例を示す。図３を参照して、電話帳９２は、複数の電話番号に対応する複数の個別電話帳情報１００Ａ，１００Ｂ，…を含む。個別電話帳情報１００Ａ，１００Ｂ，…の各々は、保持された個別電話帳情報を識別するための識別番号１１０と、電話番号１１２と、電話番号１１２に対応する電話のユーザの名前を示す情報１１４とを含む。さらに個別電話帳情報１００Ａ，１００Ｂ，…の各々は、名前を示す情報１１４に示すユーザをグループ分けするための属性情報１１６と、電話のユーザを識別する際に有用と考えられるその他の情報等で構成されるプロフィール情報１１８とを含む。
【００３８】
さらに、個別電話帳情報１００Ａ，１００Ｂ，…の各々は、この個別電話帳情報を提供する際に参照する情報として、この電話帳情報を他の携帯電話に提供してよいか否かを示す提供の可否情報１２０と、他の携帯電話に対して当該個別電話帳情報の提供が可能な場合どの携帯電話に提供を許可するかを示す提供先の範囲情報１２２とを含む。さらに、この個別電話帳情報を提供する際に参照する項目として、個別電話帳情報１００Ａ，１００Ｂ，…の各々は、電話番号を暗号化する処理が必要か否かを示す暗号化フラグ１２４と、この電話帳情報に対応するプロフィール情報１１８を添付するか否かを示すプロフィールフラグ１２６とを含む。
【００３９】
さらに、個別電話帳情報１００Ａ，１００Ｂ，…の各々は、この電話帳情報に対応する携帯電話のユーザが、電話帳９２に記憶されている他者の電話帳情報を閲覧することを許可するか否かを示す閲覧権限情報１２８を含む。
【００４０】
提供先の範囲情報１２２は、例えば、個別電話帳情報の提供を許可する第１の携帯電話４０を一意に識別する情報によって構成される情報であってもよいし、個別電話帳情報の提供を許可するユーザからなるグループを示す属性情報１１６を示すものであってもよい。また、この個別電話帳情報の提供を、任意の第１の携帯電話４０に対して許可する場合、提供先の範囲情報１２２の項目には、その旨を示す情報を格納する。
【００４１】
これらの個別電話帳情報１００Ａ，１００Ｂ，…の各項目は、本実施の形態では、第２の携帯電話４２のユーザが、図２に示す入力装置７８を用いて入力し、設定する。
【００４２】
以下、図２に示す携帯電話装置６０の制御部９０で実行されると、携帯電話装置６０を第１の携帯電話４０、第２の携帯電話４２、及び第３の携帯電話４４としてそれぞれ動作させる、第１、第２、及び第３の制御プログラムの制御構造について説明する。
【００４３】
図４は、図２に示す携帯電話装置６０を図１に示す第１の携帯電話４０として動作させる第１の制御プログラムの制御構造を示すフローチャートである。図４を参照して、第１の制御プログラムが開始されると、制御はステップ（以下、ステップを単に「Ｓ」と表記する。）１５０に進み、図１に示す第１の携帯電話４０のユーザによる電話帳情報閲覧を求める操作入力を待つ状態となる。入力が行なわれるとＳ１５２に進む。Ｓ１５２では、要求信号５０の準備を行ない、図１に示す第２の携帯電話４２に送信し、Ｓ１５４に進む。
【００４４】
Ｓ１５４では、第２の携帯電話４２（図１参照）から閲覧用電話帳５２を受信したか否かを判定する。判定結果が「ＹＥＳ」であればＳ１５８に進む。さもなければＳ１５６に進む。Ｓ１５６では、第２の携帯電話４２からエラー信号を受信したか否かを判定する。エラー信号を受信した場合、第１の制御プログラムを終了する。エラー信号を受信していなければ、Ｓ１５４に戻る。
【００４５】
Ｓ１５８では、Ｓ１５４で受信した閲覧用電話帳５２をもとに、電話の発信先となる第３の携帯電話４４（図１参照）を選択するための選択画面を作成して表示し、第１の携帯電話４０のユーザからの選択入力を受ける。この際に表示される情報は、携帯電話のユーザ名と電話番号とを含む。ただし、閲覧用電話帳５２内に電話番号が暗号化されたものがある場合、該当する電話番号の表示を行なわない。また、プロフィール情報が添付されているものについては、添付されたプロフィール情報を併せて表示する。制御はＳ１６０に進む。
【００４６】
Ｓ１６０では、選択された項目の携帯電話に発呼する際に共に送信する経由通知５４（図１参照）を作成し、Ｓ１６２に進む。
【００４７】
Ｓ１６２では、閲覧用電話帳５２の選択された項目の電話番号への発呼を行なう。選択された項目の電話番号が暗号化されている場合、この時点で暗号の解読を行なう。また、発呼する際には、Ｓ１６２で作成した経由通知５４を、呼出信号と共に発信する。制御はＳ１６４に進む。Ｓ１６４では、発信先の携帯電話との間で通話処理を通常の携帯電話と同様に行ない、第１の制御プログラムを終了する。
【００４８】
図５は、図２に示す携帯電話装置６０を図１に示す第２の携帯電話４２として動作させる第２の制御プログラムの制御構造を示すフローチャートである。図５を参照して、第２の制御プログラムが開始されると、制御はＳ１７０に進む。Ｓ１７０では、図１に示す第１の携帯電話４０より要求信号５０を受信するのを待つ状態となる。要求信号５０を受信すると、Ｓ１７２に進む。
【００４９】
Ｓ１７２では、要求信号５０に含まれる第１の携帯電話４０を識別する情報と電話帳９２（図３参照）内の個別電話帳情報１００Ａ，１００Ｂ，…とを照合して、第１の携帯電話４０のユーザについての認証を行なう。照合により電話帳情報の閲覧権限があると判定されると制御はＳ１７６に進む。さもなければＳ１７４に進み、第１の携帯電話４０にエラー信号を送信し、Ｓ１７０に戻る。
【００５０】
Ｓ１７６では、個別電話帳情報１００Ａ，１００Ｂ，…の提供の可否情報１２０及び提供先の範囲情報１２２（図３参照）を参照し、提供することのできる個別電話帳情報を選択して、Ｓ１７８に進む。
【００５１】
Ｓ１７８では、Ｓ１７６で選択した個別電話帳情報の暗号化フラグ１２４及びプロフィールフラグ１２８（図３参照）に基づき、選択した個別電話帳情報の電話番号の暗号化及びプロフィール情報の添付などの加工をそれぞれ行ない、加工した情報を、閲覧用電話帳５２として第１の携帯電話４０（図１参照）に送信し、第２の制御プログラムを終了する。
【００５２】
図６は、図２に示す携帯電話装置６０を図１に示す第３の携帯電話４４として動作させる第３の制御プログラムの制御構造を示すフローチャートである。図６を参照して、第３の制御プログラムが開始されると、Ｓ１９０に進み、着信待ちの状態となる。呼出信号を受信すると、制御はＳ１９２に進む。
【００５３】
Ｓ１９２では、呼出信号と共に経由通知５４（図１参照）を受信したか否かを判定する。経由通知５４を受信した場合、制御はＳ１９４に進む。さもなければ、Ｓ１９６に進む。
【００５４】
Ｓ１９４では、受信した経由通知５４（図１参照）を表示しＳ１９６に進む。Ｓ１９６では、発信元の携帯電話との間で通話処理を通常の携帯電話と同様に行ない、第３の制御プログラムを終了する。
【００５５】
図２に示す携帯電話装置６０は、本実施の形態に係る制御プログラムを実行することにより、図１に示す第１の携帯電話４０、第２の携帯電話４２、及び第３の携帯電話４４としてそれぞれ以下のように動作する。
【００５６】
図１に示す第１の携帯電話４０のユーザが、入力装置７８（図２参照）を用いて、第２の携帯電話４２が保持する電話帳９２の閲覧を求める入力を行なうと、図２に示す制御部９０は、ユーザ・インタフェース部８６を介してその入力信号を受け、要求信号５０を準備する。要求信号５０の準備は、例えば次のようにして行なわれる。すなわち、まず制御部９０は、要求信号５０の送信先を決定する。具体的には、制御部９０は要求信号５０の送信先の決定を求める表示を、ユーザ・インタフェース部８６を介して表示装置７６に表示させる。これに対応して第１の携帯電話４０のユーザが入力装置７８を用いて電話番号を入力すると、制御部９０がユーザ・インタフェース部８６を介して入力された情報を受け、送信先を決定し、制御部９０は、第１の携帯電話４０の電話番号を含む要求信号５０を作成する。
【００５７】
制御部９０は、作成した要求信号５０を、決定した送信先の情報と共に信号処理部８２に与え、要求信号５０の決定した送信先への送信を命令する信号を発する。信号処理部８２は、与えられた要求信号５０を変換し、通信部８０に与える。通信部８０は、アンテナ７０を介して決定された第２の携帯電話４２（図１参照）に要求信号５０を送信する。
【００５８】
図１に示す第２の携帯電話４２が要求信号５０を受信すると、要求信号５０は図２に示すアンテナ７０より通信部８０及び信号処理部８２を介して制御部９０に与えられる。第２の携帯電話４２の制御部９０は、記憶部８８内の電話帳９２に格納された個別電話帳情報１００Ａ，１００Ｂ，…（図３参照）と、与えられた要求信号５０に含まれる第１の携帯電話４０を識別する情報とを照合し、認証を行なう。具体的には、第２の携帯電話４０は、第１の携帯電話４０に対応する個別電話帳情報が電話帳９２に保持されているかの判定を行ない、さらに対応する電話帳情報の閲覧権限情報１２８（図３参照）に関する判定を行なう。対応する電話帳情報が保持されており、かつ閲覧権限情報１２８により閲覧権限があることが示されている場合、第２の携帯電話４２は、この要求信号５０の送信者の認証に成功したと判定する。また、個別電話帳情報１００Ａ，１００Ｂ，…の内、提供先の範囲情報１２２により、任意の第１の携帯電話４０に対して個別電話帳情報の提供を許可することが示されているものがあるか否かの判定を行なう。電話帳情報の提供を許可するものがある場合、少なくとも、その個別電話帳情報を提供することは可能であるため、第１の携帯電話に対応する個別電話帳情報が保持されているか否かに関わらず、認証に成功したと判定する。
【００５９】
認証に成功したという判定結果に応答して、制御部９０は、閲覧用電話帳５２として提供する電話帳情報の選択及び加工を開始する。閲覧権限がないと判定されると、制御部９０は信号処理部８２、通信部８０を介して第１の携帯電話４０（図１参照）にエラー信号を送信する。
【００６０】
提供する電話帳情報の選択及び加工が開始されると、制御部９０は、個別電話帳情報１００Ａ，１００Ｂ，…の、図３に示す提供の可否情報１２０及び提供先の範囲情報１２２と、要求信号５０に含まれる第１の携帯電話４０を識別する情報とを参照し、個別電話帳情報１００Ａ，１００Ｂ，…の中から提供可能なものを選択し、図２に示す記憶部８８より読出す。
【００６１】
制御部９０は、読出した個別電話帳情報を、図３に示す暗号化フラグ１２４及びプロフィールフラグ１２６に基づき加工する。具体的には、暗号化フラグ１２４の項目に格納されている情報が電話番号の暗号化を求めるものであれば、この個別電話帳情報の図３に示す電話番号の項目１１２に格納されている電話番号の情報を暗号化する。また、プロフィールフラグの項目１２６に格納されている情報がプロフィール情報１１８の添付を求めるものであれば、送信する情報に、プロフィール情報１１８を添付する。プロフィール情報１１８の添付が求められていない場合、電話番号の項目１１２に格納された電話番号（又はそれを暗号化したもの）と名前の項目１１４に格納されたユーザの名前とを、送信する情報とする。制御部９０は、このようにして選択し、加工した情報を、閲覧用電話帳５２として図１に示す第１の携帯電話４０に送信する。
【００６２】
図１に示す第１の携帯電話４０の図２に示す通信部８０がアンテナ７０を介して第２の携帯電話４２から信号を受信すると、受信した信号は、信号処理部８２を介して制御部９０に与えられる。第１の携帯電話４０の制御部９０は、与えられた信号が閲覧用電話帳５２であるか、エラー信号であるかを判定する。受信した信号がエラー信号であると、制御部９０は第１の制御プログラムに基づく処理を終了する。また、受信した信号が閲覧用電話帳５２であると、制御部９０は、受信した閲覧用電話帳５２をもとに電話番号の選択画面を作成し、インタフェース部８６を介して表示部７６に表示させる。この際に選択画面に表示される情報は、携帯電話のユーザ名と電話番号とを含む。ただし、閲覧用電話帳５２に電話番号が暗号化されたものがある場合、該当する電話番号の表示を行なわない。また、プロフィール情報が添付されているものについては、添付されたプロフィール情報を併せて表示する。
【００６３】
選択画面の表示を第１の携帯電話４０のユーザが閲覧し、入力部７８を用いていずれか一つを選択すると、選択入力の信号はユーザ・インタフェース部８６を介して制御部９０に与えられる。
【００６４】
また、制御部９０は、第１の携帯電話４０の電話番号と、第２の携帯電話４２の電話番号など第２の携帯電話４２を識別する情報とを含む経由通知５４を作成する。第２の携帯電話４２を識別するための情報には、第１の携帯電話４０が要求信号５０を送信する時に用いた情報を用いる。また、第２の携帯電話４２を識別するための情報を第２の携帯電話４２が作成して閲覧用電話帳５２と共に第１の携帯電話４０に送信し、第１の携帯電話４０がこれを読出して添付するようにしてもよい。
【００６５】
ユーザにより閲覧用電話帳５２に基づき発呼先となる第３の携帯電話４４（図１参照）が選択され、経由情報が作成されると、制御部９０は、閲覧用電話帳５２に含まれる第３の携帯電話４４の電話番号を参照し、当該電話番号の携帯電話への発呼を命令する信号を、経由信号と共に信号処理部８２に与える。参照する電話番号が暗号化されている場合には、この時点で暗号を解読する。
【００６６】
信号処理部８２は与えられた経由通知５４を送信可能な信号に変換して呼出信号と共に通信部８０に与える。経由通知５４及び呼出信号は、アンテナ７０から携帯電話網を介して図１に示す第３の携帯電話４４に送信される。
【００６７】
図１を参照して、第３の携帯電話４４に第１の電話からの呼出信号が着信すると、呼出信号と共に経由通知５４を受信したか否かを判定する。経由通知を受信したことに応答して、第３の携帯電話４４は、経由通知５４を表示する。経由通知５４には、第１の携帯電話４０の電話番号と、第２の携帯電話４２を識別する情報とが含まれている。そのため、経由通知５４の表示を見た第３の携帯電話４４のユーザは、電話の発信者と、電話の発信者に対し第３の携帯電話４４の電話番号を提供した者が誰であるかとを知ることができる。第３の携帯電話４４のユーザの知らない発信元から着信した場合に、第３の携帯電話４４のユーザは、通話を開始するか着信を拒否するかを、第２の携帯電話４２を示す情報をもとに判断することが可能となる。第２の携帯電話４２のユーザを知っていることにより、第３の携帯電話４４のユーザが第１の携帯電話４０からの発信に安心して応答する可能性が高くなり、第３の携帯電話４４のユーザにより着信を拒否されるおそれが小さくする。よって、第１の携帯電話４０のユーザと第３の携帯電話４４ユーザとの通話はより円滑に行われることが期待される。
【００６８】
上記のように、本実施の形態に係る第１の携帯電話４０のユーザは、第３の携帯電話４４への発信を、第２の携帯電話４２から受信した閲覧用電話帳５２を用いて行なうことができる。第３の携帯電話４４の電話番号を第１の携帯電話４０の電話帳に登録する必要がなくなる。第２の携帯電話４２のユーザは、個別電話帳情報１００Ａ，１００Ｂ，…の各項目について適切な設定を行なうことにより、電話番号を含む他人の個人情報の内、第１の携帯電話４０のユーザに与えてもよい情報のみを選択的に第１の携帯電話４０のユーザに提供することができる。
【００６９】
なお、上記した第１の実施の形態では、第１の携帯電話４０のユーザが送信先の電話番号を入力することにより、第１の携帯電話４０が要求信号５０の送信先を決定した。しかし、第１の携帯電話４０の記憶部８８が電話帳９２を保持している場合、制御部９０は、保持されている電話帳９２を用いて、要求信号５０の送信先をユーザに決定させることもできる。例えば、電話帳９２に格納されている情報をユーザに閲覧させ、その中から、要求信号５０の送信先をユーザに選択させるようにしてもよい。
【００７０】
また、第２の携帯電話４２が、要求信号５０の送信者についての認証を行なう際に、要求信号５０に含まれる第１の携帯電話４０を識別する情報を表示し、第２の携帯電話４２のユーザに確認させるようにしてもよい。第２の携帯電話４２が、第１の携帯電話４０に対応する個別電話帳情報を電話帳９２に保持している場合、第２の携帯電話４２は、要求信号５０を送信した第１の携帯電話４０の電話番号、ユーザの名前、及びプロフィール情報を表示して、第２の携帯電話４２のユーザに確認させるようにしてもよい。
【００７１】
また、上記した第１の実施の形態では、経由通知５４は、第１の携帯電話４０の電話番号と、第２の携帯電話４２の電話番号など第２の携帯電話４２を識別する情報とを含むものであった。経由通知５４にはさらに、第１の携帯電話４０のユーザに関するより詳しい情報として、第１の携帯電話４０のユーザについてのプロフィール情報を添付してもよい。
【００７２】
この場合、第１の携帯電話４０のユーザが、第１の携帯電話４０を用いて第１のユーザについてのプロフィール情報を予め作成しておき、経由通知５４に添付するようにしてもよい。またこの場合、第２の携帯電話４２の電話帳９２に、第１の携帯電話４０の個別電話帳情報が保持されているならば、第１の携帯電話４０は、例えば以下のような方法で、第２の携帯電話４２から、プロフィール情報を取得し、経由通知に添付してもよい。すなわち、第１の携帯電話４０が要求信号５０を送信する際に、第１の携帯電話４０のユーザに関するプロフィール情報の添付を希望する信号を併せて送信する。第２の携帯電話４２は、要求信号５０と共にプロフィール情報の添付を希望する信号を受信すると、閲覧用電話帳５２に、電話帳９２の第１の携帯電話４０に対応する個別電話帳情報の図３に示すプロフィール情報１１８を添付する。第１の携帯電話４０は、このプロフィール情報１１８が添付された閲覧用電話帳５２を受信すると、経由通知５４を準備する際に、添付されたプロフィール情報１１８を経由通知５４に添付する。プロフィール情報１１８が添付された経由通知５４を受信した第３の携帯電話４４は、経由通知５４と共に、添付されたプロフィール情報を表示する。
【００７３】
また、上記した第１の実施の形態では、第１の携帯電話４０は、選択された電話番号が暗号化されている場合、暗号化された電話番号の解読を行ない、解読された電話番号に対して発呼を行なった。しかし、暗号化された電話番号の携帯電話への発呼の方法は、このようなものには限定されない。第１の携帯電話４０と第３の携帯電話との間での電話通信を中継する交換機システム側で、暗号化された電話番号の解読を行なうようにしてもよい。例えば、選択された電話番号が暗号化されている場合、第１の携帯電話４０は、交換機システムに対して、通常の呼出信号の替わりに，暗号化された電話番号の信号を含む呼出信号を送信する。交換機システム側の装置が、この呼出信号を受信し、暗号化された電話番号を解読し、解読により得られた電話番号への呼出信号に置換する。交換機システムは、置換した呼出信号を用いて、第３の携帯電話４４との間での通信の中継を行なう。
【００７４】
このようにすると、第３の携帯電話４４の電話番号の情報は、第１の携帯電話４０によって解読されず、通話のための呼出にのみ使用されることになる。第１の携帯電話４０の着信履歴等の記録に、解読された電話番号の情報が記録されることもない。そのため、第２の携帯電話４２のユーザは、個人情報である第３の携帯電話の電話番号の情報をより安全に第１の携帯電話４０に対して提供することができる。
【００７５】
［第２の実施の形態］
上記した第１の実施の形態では、電話帳情報の提供元となる第２の携帯電話４２の個別電話帳情報１００Ａ，１００Ｂ，…について、図３に示す提供の可否情報１２０、提供先の範囲情報１２２、暗号化フラグ１２４、及びプロフィールフラグ１２６の設定を、第２の携帯電話４２のユーザが行なった。しかし、本発明はこのような実施の形態には限定されない。
【００７６】
図７に本実施の形態に係るシステム２３０の構成を示す。図７を参照して、本実施の形態に係るシステム２３０は、図１に示す第１の実施の形態と同様の第１の携帯電話４０と、図１に示す第２の携帯電話４２と同様に図３に示す電話帳９２を保持し、図５に示す第２の制御プログラムを実行する処理に加えて、他の携帯電話からその携帯電話と対応関係にある電話帳情報の変更を依頼する信号を受け、電話帳９２に保持された個別電話帳情報１００Ａ，１００Ｂ，…（図３参照）のうち、その携帯電話と対応関係にあるものについて、依頼された部分の変更を行なう処理を実行する第２の携帯電話２４２と、図１に示す第３の携帯電話４４の機能に加えて、第２の携帯電話２４２が保持する電話帳９２中の、自己に対応する電話帳情報の所望の部分について、変更を依頼する信号を準備し、送信する処理を実行する機能を持つ第３の携帯電話２４４とを含む。
【００７７】
本実施の形態に係る第１の携帯電話４０、第２の携帯電話２４２、及び第３の携帯電話２４４の間では、第１の実施の形態において送受信される情報と同様の要求信号５０、閲覧用電話帳５２、及び経由通知５４が送受信される。これらの情報に加えて、本実施の形態では、第３の携帯電話２４４から第２の携帯電話２４２に対して、第２の携帯電話２４２が保持する個別電話帳情報１００Ａ，１００Ｂ，…のうち第３の携帯電話２４４に対応するものを変更するよう依頼する依頼信号２５０が送信される。依頼信号２５０は、電話番号など第３の携帯電話２４４を識別する情報と、図３に示す提供の可否情報１２０、暗号化フラグ１２４、又はプロフィールフラグ１２６を示す情報と、その変更値とを含む。
【００７８】
第３の携帯電話２４４のユーザが、第３の携帯電話２４４の入力装置を用いて、変更を希望する情報とその変更値とを入力すると、第３の携帯電話２４４はユーザによる入力に従い、依頼信号２５０を作成し、第２の携帯電話２４２に送信する。
【００７９】
第２の携帯電話２４２は、第３の携帯電話２４４からの信号を受けると、図３に示す電話帳９２に保持されている個別電話帳情報１００Ａ，１００Ｂ，…と依頼信号２５０に含まれる第３の携帯電話２４４を識別する情報とを照合して第３の携帯電話２４４のユーザの認証を行なう。認証に成功すると、第２の携帯電話２４２は、個別電話帳情報１００Ａ，１００Ｂ，…のうち第３の携帯電話２４４に対応するものを読出す。第２の携帯電話２４２は、依頼信号２５０の提供の可否情報１２０、提供先の範囲情報１２２、暗号化フラグ１２４、又はプロフィールフラグ１２６を示す情報とその変更値とに基づき、読出した電話帳情報の該当する項目の情報を所望の変更値に変更する。
【００８０】
第３の携帯電話２４４からの依頼信号２５０に基づき、第２の携帯電話２４２が個別電話帳情報１００Ａ，１００Ｂ，…の第３の携帯電話２４４に対応する部分の変更を行なうようにすると、第３の携帯電話２４４のユーザは、個人的な情報である自己及び自己の携帯電話に関する情報を、閲覧用電話帳５２によって、どの程度公開することを認めるかを自ら決定することができる。
【００８１】
［第３の実施の形態］
上記した第１及び第２の実施の形態では、第１の携帯電話と第２の携帯電話との間での通信を、電話回線を介して行なった。第３の実施の形態では、第１の携帯電話と第２の携帯電話とがローカルエリア接続し、電話回線等の広域通信網を介することなく電話帳情報の提供に関する通信を行なう。
【００８２】
図８に、第３の実施の形態に係るシステム３３０の構成を示す。図７を参照して、本実施の形態に係るシステム３３０は、図１に示す第１の携帯電話４０が有する機能に加えて、第１の赤外線通信部３４６を介して他の装置と通信を行なう機能を有する第１の携帯電話３４０と、図１に示す第２の携帯電話４２が有する機能に加えて、第１の携帯電話３４０と同様に第２の赤外線通信部３４８を介して他の装置との通信を行なう機能をさらに有する第２の携帯電話３４２と、図１に示すものと同様の第３の携帯電話４４とを含む。
【００８３】
第１の携帯電話３４０及び第２の携帯電話３４２は、第１の実施の形態に係る第１の携帯電話４０及び第２の携帯電話４２と異なり、携帯電話通信網を介してではなく、赤外線通信３５０を介して通信を行ない、閲覧用電話帳５２の要求及び提供を行なう。
【００８４】
第１の携帯電話３４０と第２の携帯電話３４２との間で閲覧用電話帳５２の要求及び提供を行なう際には、第１の携帯電話３４０に備えられた第１の赤外線通信部３４６と、第２の携帯電話３４２に備えられた第２の赤外線通信部３４８とを至近距離で向かい合わせて、相互に通信を行なう。
【００８５】
赤外線通信は、至近距離での通信に適した通信方法である。第２の携帯電話３４２のユーザが第１の携帯電話３４０のユーザを直接確認して閲覧用電話帳５２の送信を行なう場合に便利である。
【００８６】
なお、第１の携帯電話３４０と第２の携帯電話３４２との間での通信は、赤外線に限らず、可視光線を用いた光通信により行なってもよい。また、第１の携帯電話３４０と第２の携帯電話３４２との間での同様の通信は、電波による短距離情報伝送技術を利用して行なうことも可能である。この場合、第１の携帯電話３４０と第２の携帯電話３４２との間での通信は、それぞれ、電話回線に使用する帯域と別の帯域の電波を用いて行われることが望ましい。さらには、第１の携帯電話３４０と第２の携帯電話３４２とを有線接続し、通信を行ってもよい。
【００８７】
［第４の実施の形態］
上記した第１から第３の実施の形態では、いずれも第２の携帯電話が保持する電話帳９２の情報を閲覧用電話帳５２として提供する場合、第１の携帯電話が第２の携帯電話と直接的に通信を行なった。しかし、本発明はこのような実施の形態には限定されない。
【００８８】
図９に、本発明の第４の実施の形態の概略を示す。図９を参照して、本実施の形態に係るシステム４３０は、第１の実施の形態と同様の第１の携帯電話４０と、第１の実施の形態と同様の第３の携帯電話４４とを含む。本実施の形態に係るシステム４３０はさらに、図３に示す電話帳９２と同様の電話帳９２Ａ，９２Ｂ，…をそれぞれ保持し、当該電話帳９２Ａ，９２Ｂ，…を外部のサーバ装置にアップロードする第２の携帯電話４４２Ａ，４４２Ｂ，…と、第２の携帯電話４４２Ａ，４４２Ｂ，…がアップロードする電話帳９２Ａ，９２Ｂ，…を受け、第１の携帯電話４０への閲覧用電話帳５２の送信を代行する、コンピュータからなる電話帳情報サーバ４５０とを含む。電話帳情報サーバ４５０は、第２の携帯電話４４２Ａ，４４２Ｂ，…がアップロードする電話帳９２Ａ，９２Ｂ，…を保持する電話帳情報データベース４６０を含む。
なお、本実施の形態では、第２の携帯電話４４２Ａ，４４２Ｂ，…が複数含まれる例を示すが、第２の携帯電話は、単数であってもよい。
【００８９】
第２の携帯電話４４２Ａ，４４２Ｂ，…はそれぞれ、電話帳９２Ａ，９２Ｂ，…（図３に示す電話帳９２と同様のもの）を保持し、所定の日時又は個別電話帳情報１００Ａ，…（図３参照）が新たに登録されたときなど、所定の条件が満たされたときに、保持している電話帳９２Ａ，９２Ｂ，…を、電話帳情報サーバ４５０にアップロードする。電話帳情報サーバ４５０は、アップロードされた電話帳９２Ａ，９２Ｂ，…を電話帳情報データベース４６０に格納する。
【００９０】
第１の携帯電話４０のユーザが電話帳の閲覧を求める入力を行なうと、第１の携帯電話４０は、第１の実施の形態と同様の動作で要求信号５０を準備する。要求信号５０が準備されると、第１の携帯電話４０は、第２の携帯電話４４２Ａ，４４２Ｂ，…ではなく電話帳情報サーバ４５０に要求信号５０を送信する。
【００９１】
電話帳情報サーバ４５０は、要求信号５０を受信すると、図１に示す第１の実施の形態に係る第１の携帯電話４２が図５に示す第２の制御プログラムに従い実行する処理と同様の処理を、第２の携帯電話４４２Ａ，４４２Ｂ，…に代り実行する。すなわち、受信した要求信号５０と電話帳情報データベース４６０に格納された電話帳９２Ａ，９２Ｂ，…とを照合して認証を行ない、認証に成功すると、電話帳情報データベース４６０から提供する電話帳情報を選択し、加工して閲覧用電話帳５２を作成する。この際、電話帳情報データベース４６０は、第１の携帯電話４０が経由通知５４を作成するための情報として、提供する電話帳情報をアップロードした第２の携帯電話４４２Ａ，４４２Ｂ，…を識別する情報を添付する。電話帳情報サーバ４５０は、このようにして作成した閲覧用電話帳５２を第１の携帯電話４０に送信する。
【００９２】
第１の携帯電話４０が閲覧用電話帳５２を受信すると、第１の実施の形態と同様の動作で発呼先を選択し、電話帳情報サーバ４５０により添付された情報をもとに経由通知５４を作成する。第１の携帯電話４０は、選択された電話番号に対して呼出信号を発信すると共に、作成した経由情報を送信する。
【００９３】
第３の携帯電話４４は、第１の実施の形態と同様の動作で呼出信号と共に受信した経由通知５４を表示し、通常の携帯電話と同様の通話処理を行なう。
【００９４】
このように、電話帳情報サーバ４５０が第２の携帯電話４４２Ａ，４４２Ｂ，…に替わり、閲覧用電話帳５２の提供を行なうと、第２の携帯電話４４２Ａ，４４２Ｂ，…は、第１の携帯電話４０からの要求信号５０に応答する必要がなくなる。第２の携帯電話４４２Ａ，４４２Ｂ，…のユーザは、要求信号５０への応答のために妨げられることなく、第２の携帯電話４４２Ａ，４４２Ｂ，…を使用することができる。また、電話帳情報サーバ４５０は、複数の第２の携帯電話４４２Ａ，４４２Ｂ，…から受信した電話帳９２Ａ，９２Ｂ，…を保持し、閲覧用電話帳５２を送信することができる。また、第１の携帯電話４０が複数存在する場合でも、閲覧用電話帳５２を送信する処理を潤滑に行なうことが可能となる。
【００９５】
［第５の実施の形態］
図１０に、本実施の形態に係るシステムの概要を示す。本実施の形態に係るシステム５３０は、図９に示す第４の実施の形態に係るシステム４３０と類似の構成であり、第１の実施の形態に係る第１の携帯電話４０と同様の複数の第１の携帯電話４０Ａ，４０Ｂ，…と、図９に示す第４の実施の形態のものと同様の第２の携帯電話４４２Ａ，４４２Ｂ，…と、第１の実施の形態に係る第３の携帯電話４４と同様の複数の第３の携帯電話４４Ａ，４４Ｂ，…とを含む。さらに本実施の形態に係るシステム５３０は、図９に示す第４の実施の形態に係る電話帳情報サーバ４５０が有する機能に加えて、要求信号５０の受信状況及び閲覧用電話帳５２の送信状況、並びに電話帳情報データベース４６０に基づき、電話帳情報の閲覧に関する統計処理を行ない、統計処理結果を第１の携帯電話４０Ａ，４０Ｂ，…、第２の携帯電話４４２Ａ，４４２Ｂ，…に提供する機能を有する電話帳情報サーバ５５０を含む。
【００９６】
電話帳情報サーバ５５０は、図９に示す第４の実施の形態に係る電話帳情報サーバ４５０と同様の電話帳情報データベース４６０を備える。さらに電話帳情報サーバ５５０は、要求信号５０及び閲覧用電話帳５２の送受信状況をもとに電話帳情報の提供に関する統計処理を行ない、その結果をもとに後述するようなランキング表５５４を作成するランキング作成部５５２を含む。電話帳情報サーバ５５０は、ランキング作成部５５２により作成されたランキング表５５４の情報を、第１の携帯電話４０Ａ，４０Ｂ，…と第２の携帯電話４４２Ａ，４４２Ｂ，…とに対し、統計情報５６０として送信する。
【００９７】
ランキング作成部５５２が行なう統計処理、ランキング表５５４、及び送信する統計情報５６０には、以下のようなものがある。例えば、第１の携帯電話４０Ａ，４０Ｂ，…がそれぞれ閲覧用電話帳５２の送信を何回受けたかをランキング作成部５５２が算出し、その情報をランキング表５５４として出力する。出力されたランキング表５５４の第１の携帯電話４０Ａ，４０Ｂ，…に対応する部分を第１の携帯電話４０Ａ，４０Ｂ，…に対してそれぞれ送信する。電話帳情報サーバ５５０のユーザが有料サービスとして閲覧用電話帳５２の提供を行なう場合、このようにして算出した提供回数に応じた対価の支払いを、第１の携帯電話４０Ａ，４０Ｂ，…のユーザに求めることが可能となる。
【００９８】
また例えば、ランキング作成部５５２が第１の携帯電話４０Ａ、４０Ｂ，…の内の何台に対して、電話帳情報が閲覧用電話帳５２として提供されたかを第２の携帯電話４４２Ａ，４４２Ｂ，…についてそれぞれ算出してその統計結果をランキング表５５４として出力してもよい。出力されたランキング表５５４の、第２の携帯電話４４２Ａ，４４２Ｂ，…に対応する部分を、統計情報５６０として第２の携帯電話４４２Ａ，４４２Ｂ，…に送信する。さらに、電話帳情報サーバ５５０のユーザは、電話帳情報を提供したことへの対価を第２の携帯電話４４２Ａ，４４２Ｂ，…のユーザに対して支払う場合、このようにして算出した提供回数に基づき、提供された電話帳情報に応じた支払いを行なうことが可能となる。
【００９９】
また例えば、ランキング作成部５５２は、第１の携帯電話４０Ａ，４０Ｂ，…のあるユーザが、第２の携帯電話４４２Ａ，４４２Ｂ，…によりアップロードされた電話帳９２Ａ，９２Ｂ，…をもとに作成される閲覧用電話帳５２としてそれぞれ何件分の電話帳情報の提供を受けることができるかを、電話帳情報データベース４６０に保持された電話帳情報をもとに算出してもよい。算出した統計結果を第１の携帯電話４０Ａ，４０Ｂ，…に対して統計情報５６０としてそれぞれ送信した場合、第１の携帯電話４０Ａ，４０Ｂ，…が受信し、そのユーザが閲覧すると、第２の携帯電話４４２Ａ，４４２Ｂ，…によりアップロードされた電話帳９２Ａ，９２Ｂ，…のうちのどれに関して要求信号５０を送信すれば、より多くの電話番号を利用できるかを判断することができる。
【０１００】
なお、電話帳情報サーバ５５０は、第１の携帯電話４０Ａ，４０Ｂ，…と第２の携帯電話４４２Ａ，４４２Ｂ，…とに対して送信し、提供するばかりでなく、統計情報５６０をいわゆるインターネットを介して公開することも可能である。統計情報５６０を公開することにより、第１の携帯電話４０Ａ，４０Ｂ，…と第２の携帯電話４４２Ａ，４４２Ｂ，…とだけでなく、パーソナルコンピュータ及び携帯情報端末装置など、インターネットに接続可能な装置から閲覧することが可能となり、より便利になる。
【０１０１】
なお、上記した実施の形態では、第１の携帯電話、第２の携帯電話、及び第３の携帯電話は、それぞれ無線を介して電話通信を行なう携帯電話であった。しかし、現在の固定電話においても、データ通信を行なうことは可能であり、電話番号の通知も可能である。そのため、固定電話においても、上記した実施の形態に係る携帯電話と同様の動作を実行することも可能である。
【０１０２】
今回開示された実施の形態は単に例示であって、本発明が上記した実施の形態のみに制限されるわけではない。本発明の範囲は、発明の詳細な説明の記載を参酌した上で、特許請求の範囲の各請求項によって示され、そこに記載された文言と均等の意味及び範囲内でのすべての変更を含む。
【図面の簡単な説明】
【０１０３】
【図１】本発明の第１の実施の形態に係る制御プログラムにより制御された携帯電話を含むシステム３０の概要を示す図である。
【図２】第１の実施の形態に係る制御プログラムを実行する携帯電話装置６０の構成を示す図である。
【図３】第１の実施の形態に係る電話帳９２の一例を示す図である。
【図４】第１の実施の形態に係る第１の制御プログラムの制御構造を示すフローチャートである。
【図５】第１の実施の形態に係る第２の制御プログラムの制御構造を示すフローチャートである。
【図６】第１の実施の形態に係る第３の制御プログラムの制御構造を示すフローチャートである。
【図７】本発明の第２の実施の形態に係る制御プログラムにより制御された携帯電話を含むシステム２３０の概要を示す図である。
【図８】本発明の第３の実施の形態に係る制御プログラムにより制御された携帯電話を含むシステム３３０の概要を示す図である。
【図９】本発明の第４の実施の形態に係る制御プログラムにより制御された携帯電話を含むシステム４３０の概要を示す図である。
【図１０】本発明の第５の実施の形態に係る制御プログラムにより制御された携帯電話を含むシステム５３０の概要を示す図である。
【符号の説明】
【０１０４】
４０，４０Ａ，４０Ｂ，…，３４０  第１の携帯電話、４２，２４２，３４２，４４２Ａ，４４２Ｂ，…  第２の携帯電話、４４，４４Ａ，４４Ｂ，…，２４４  第３の携帯電話、５０  要求信号、５２  閲覧用電話帳、５４  経由通知、６０  携帯電話装置、７０  アンテナ、７２  受話器、７４  送話器、７６  表示装置、７８  入力装置、８０  通信部、８２  信号処理部、８４  音声処理部、８６  ユーザ・インタフェース部、８８  記憶部、９０  制御部、９２，９２Ａ，９２Ｂ，…  電話帳、１００Ａ，１００Ｂ，…  個別電話帳情報、４５０，５５０  電話帳情報サーバ、４６０  電話帳情報データベース、５５２  ランキング作成部、５５４  ランキング表
【図１】
2005229526.tif 000003
【図２】
2005229526.tif 000004
【図３】
2005229526.tif 000005
【図４】
2005229526.tif 000006
【図５】
2005229526.tif 000007
【図６】
2005229526.tif 000008
【図７】
2005229526.tif 000009
【図８】
2005229526.tif 000010
【図９】
2005229526.tif 000011
【図１０】
2005229526.tif 000012